(57)【要約】  【課題】周辺の空間を有効利用できる机を提供する。  【解決手段】脚３は、前後の縦フレーム３ａと上下の水平フレーム３ｂとで側面視口字状に形成されている。上部の水平フレーム３ｂや前後の縦フレーム３ａにクランプ式等のブラケット手段Ｃを取り付け、ブラケット手段Ｃに収納箱Ｂ等の付属物を取り付ける。脚３で囲われた空間とこれに連続した内外のスペースを物品の収納等に有効利用できる。脚３は前後の縦フレーム３ａを備えているので付属物Ｂを支持しても強度的な問題は生じない。【選択図】        図１
2005087625.tif 000002
【特許請求の範囲】
【請求項１】
天板と、この天板の縁部を支持する脚を備えており、前記脚を、前後の縦フレームを有する側面視口字状又は門形に形成し、前後の縦フレームで挟まれた空間に、脚に取り付くブラケット手段を介して付属物を配置している、
机。
【請求項２】
前記脚は、前後の縦フレームと上下の水平フレームとで側面視口字状に形成されており、上下の水平フレーム又は前後縦フレーム若しくは全てのフレームを、外周側が幅広で内周側が幅狭の形態に形成し、相対向した２本のフレーム又は全フレームにおける内周側の幅狭の部分をブラケット体で挟持し、このブラケット体に前記付属物を取り付けている、
請求項１に記載した机。
【請求項３】
前記付属物は、棚と収納箱とパネル類とのうちの何れかである、
請求項１又は請求項２に記載した机。
【発明の詳細な説明】
【技術分野】
【０００１】
本発明は、机（テーブル）に関するものである。
【背景技術】
【０００２】
机は、一般に天板を脚で支持した形態になっている。天板の形態は矩形状には限らず、平面視Ｌ字状のようないわゆる異形天板も広く使用されている。他方、脚の形態も様々であり、側面視コ字状のものや門形のもの、或いは単なる棒状又は板状のものなど、様々の形態が採用されている。
【０００３】
他方、机には様々の付属物が使用される。例えば、棚やキャビネットのような整理用・収納用什器、目隠し用又は書類ピンナップ用のサイドパネルなどである。棚は一般に机上に設置されており、他方、キャビネットは袖キャビネットとして天板の下方の床に独立して設置することが多い。サイドパネルは天板にブラケットを介して取り付けることが多い。
【発明の開示】
【発明が解決しようとする課題】
【０００４】
ところで、机において脚の周辺部がデッドスペースになることがある。しかし、従来、脚の周辺のデッドスペースを有効利用しようとする発想は殆ど見られていない。
【０００５】
本発明は、このような現状を改善すべく成されたもので、新規で有用な机を提供することを課題とするものである。
【課題を解決するための手段】
【０００６】
請求項１の発明では、天板と、この天板の縁部を支持する脚を備えており、前記脚を、前後の縦フレームを有する側面視口字状又は門形に形成してなる机において、前後の縦フレームで挟まれた空間に、脚に取り付くブラケット手段を介して付属物を配置している。
【０００７】
請求項２の発明は、請求項１において、前記脚は、前後の縦フレームと上下の水平フレームとで側面視口字状に形成されており、上下の水平フレーム又は前後縦フレーム若しくは全てのフレームを、外周側が幅広で内周側が幅狭の形態に形成し、相対向した２本のフレーム又は全フレームにおける内周側の幅狭の部分をブラケット体で挟持し、このブラケット体に前記付属物を取り付けている。
【０００８】
付属物の種類には特に限定はないが、請求項３では、棚と収納箱とパネル類とのうちの何れかを挙げている。これらが机と共に使用される頻度が高いからである。サーバやハブ、ルータ等の情報通信機器の配置に利用することもできる。
【発明の効果】
【０００９】
本願発明によると、机の脚の箇所の空間を物品の収納や配置等に利用できるため、スペースを有効利用できる。そして、付属物は脚に取り付くブラケット手段を介して配置されるため、ずれ動くことはなくて姿勢や位置の保持性に優れているが、この場合、脚は前後の縦フレーム（支柱部）を備えているため、付属物を取り付けることによって天板の支持機能が低下するようなことはない。すなわち、机としての強度低下を招来することなく、スペースを有効利用できるのである。
【００１０】
請求項２のように構成すると、ブラケット手段はクランプ方式によって脚のフレームに簡単に固定できるため、脚にねじ穴等を設ける必要がなくて美観に優れている。また、ブラケット手段は脚で囲われた空間内に入り込んだ状態になるため、ブラケット手段をコンパクト化できて、この面からも体裁が良い。
【発明を実施するための最良の形態】
【００１１】
以下、本発明の実施形態を図面に基づいて説明する。
【００１２】
図１は机の概略斜視図であり、机は、天板２と、左右の脚３とを備えている。脚３は、前後一対の縦フレーム３ａと上下の水平フレーム３ｂとで側面視口字状に形成されており、各フレーム３ａ，３ｂで囲われた空間内には、付属物の一例としての収納箱Ｂが配置されている。収納箱Ｂは、上水平フレーム３ｂに固定されたブラケット手段Ｃを介して吊支されている。
【００１３】
図示の収納箱Ｂは机の内外両方向に広がっているが、外側のみに広がった形態としたり、机の内側のみに入り込んだ形態としたり、或いは、脚３と略同じ幅寸法に設定したりすることも可能であり、要は、目的に合わせて配置態様や大きさを設定したら良い。
【００１４】
(1).机の基本構造（図２〜図９）
収納箱Ｂの吊支態様を説明するに先立って、まず、机１の基本的な構造を図２〜図９に基づいて説明する。
【００１５】
図２（ａ）は机１の全体平面図、図２（ｂ）は正面図、図２（ｃ）は側面図である。図３は図２（ａ）の III-III視一部切欠き正面図、図４は図１（ａ）のIV−IV視一部切欠き側断面図、図５は連結手段の各部品の斜視図、図６は脚３のコーナー部の要部断面図、図７（ａ）は縦フレーム３ａの平断面図、図７（ｂ）は水平フレーム３ｂの正断面図、図８は脚３の縦フレーム３ａと水平フレーム３ｂとを連結するための継手部材４の斜視図である。
【００１６】
天板１は木製であり、脚３を構成する各フレーム３ａ，３ｂはアルミ等の軽金属の押し出す加工品である（もちろん、両者とも他の素材製でもよい）。各脚体３と机天板２とは、連結手段Ａで固定されている。継手部材４はアルミダイキャスト製でブロック状に形成されている。
【００１７】
まず、図７に基づいて脚３の縦フレーム３ａ及び水平部材３ｂについて説明する。縦フレーム３ａは略矩形状の断面中空筒部４０を有し、内周には左右に張り出す内フランジ４２ａを有している。
【００１８】
縦フレーム３ａにおける外周部材４１の寸法Ｗ１は、内周部材４２の幅寸法Ｗ２より若干大きいように形成されている。また、中空筒部４０の幅寸法は内周部材４２の幅寸法Ｗ２よりも小さく形成され、幅方向の中心線を挟んで対称形状である。そして、前記断面中空部４０の内部には、雄ねじ５１、５２が螺着できる断面Ω状または筒状のリブ部４０ａ，４０ｂが一体的に形成されている。
【００１９】
水平フレーム３ｂは略Ｔ字状の断面中空筒部４３を有し、内周部材４５は左右に張り出す内フランジ４５ａを備えている。そして、外周部材４４の寸法Ｗ１は、内周部材４５の幅寸法Ｗ２より若干大きいように形成されている。
【００２０】
前記縦フレーム３ａ及び水平フレーム３ｂの長手方向の両端面は長手軸線に対して４５度の角度で切断した突き合わせ端面３２、３３が形成されている（図４参照）。
【００２１】
他方、継手部材４は、図４、図６及び図８に示すように、前記縦フレーム３ａにおける断面中空筒部４０にきっちりと嵌入する縦アーム４６と、水平フレーム３ｂにおける断面中空筒部４３にきっちりと嵌入する横アーム４７と、両アーム４６、４７の付け根部となるコーナ基部４９とが一体的に形成されている。
【００２２】
縦アーム４６には継手部材４の外角面側（コーナ基部４９の外角面側）から雄ねじ５１、５２が挿通可能なネジ挿通孔５６、５７が穿設形成されている（図６参照）。
【００２３】
他方、継手部材４の横アーム４７は、断面略Ｔ字状に形成され、前記略Ｔ字状の断面中空筒部４３に嵌まる。また、横アーム４７の断面形状には、軽量化のために部分的に凹所が形成されている。
【００２４】
そして、横アーム４７の上下面側には、水平フレーム３ｂの内周部材４５側または外周部材４４側から雄ねじ５３、５４をネジ締着できる雌ねじ部５８ａ，５８ｂ、５９ａが形成されている（図６，８参照）。横アーム４７の上部側フランジ部分４７ａには、後述する台座体６に対する皿ネジ１０及び連結体５に対するボルト１１を締結するための雌ねじ部５９ａ，５９ｂが形成されている（図６，８参照）。
【００２５】
なお、下端水平フレーム３ｂに継手部材４の横アーム４７を嵌挿したときには、アジャスタボルト５５は下部の水平フレーム３ｂを貫通して継手部材４にねじ込まれる（図６参照）。
【００２６】
そして、前記コーナ基部４９の表裏側面から両アーム４６、４７の付け根部の表裏側面にわたって、４５度の角度で鍔片４８が一体的に突出形成されている（図４，図７参照）。
【００２７】
脚体３を形成する組立順序としては、まず、各縦フレーム３ａの上下の突き合わせ端面３２、３３側（開口側）から継手部材４の縦アーム４６を断面中空筒部４０内に嵌挿し、前記鍔片４８の片面を縦フレーム３ａの上下の突き合わせ端面３２、３３に密に当接させる。
【００２８】
次いで、コーナ基部４９の外角側からネジ挿通孔５６、５７に雄ねじ５１、５２を挿通し、縦フレーム３ａにおけるリブ部４０ａ，４０ｂに螺着して固定する。
【００２９】
次いで、各継手部材４の横アーム４７を上下の水平フレーム３ｂの断面中空筒部４３内にそれぞれ嵌挿し、その突き合わせ端面３２、３３と前記鍔片４８の他面とを密に当接させた状態で、上部の水平フレーム３ｂの内周側面に穿設された孔を介して複数の雄ねじ５４を横アーム４７の雌ねじ部５８ｂに螺着固定する一方、下端水平フレーム３ｂの箇所では、その外周側面から、前記横アーム４７の２つの雌ねじ部５８ａ及び１つの雌ねじ部５９ａに雄ねじ５３を締着固定するのである。
【００３０】
このようにして、一対の縦フレーム３ａと上下水平フレーム３ｂとのコーナ部を継手部材４で連結し、脚体３を正面視で口の字状に形成する。
【００３１】
脚体３と机天板２とを連結するための連結手段Ａは、所定高さの連結体５と、所定高さＨ２の台座体６と、机天板２の下面に固定する固定用ブロック体７と、一対のサポートピン９，９と複数のボルト等から構成されている。
【００３２】
台座体６はアルミダイキャスト製で平面視略四角状の偏平状であって、この台座体６の中央部には前記脚体３における上端水平フレーム３ｂ等に螺着する皿ネジ（皿ビス）１０のための座ぐり孔が形成されており、その四方外周には、後述する連結体５を上方から止着（固定）するための六角穴付きボルト１１が挿通している。台座体６の下面には、一対の位置決めダボ６ｃが突設されている（図６参照）。
【００３３】
固定用ブロック体７はアルミダイキャスト製であり、図４、図５に示すように、平面視略矩形状の本体７ａとその上端に一体的に連設された取付け板部７ｂとからなる。取付け板部７ｂの上面には、机天板２の下面に形成された位置決め凹所１２に嵌入できる一対の位置決め用ボス７ｃが形成されている。
【００３４】
固定用ブロック体７の本体７ａには、その下部側に下向きに開放された大径孔１３ａが穿設されており、この大径孔１３ａの上端に連通して小径のボルト取付け孔１３ｂが上面にまで貫通形成されている。前記大径孔１３ａから上向きに挿入した固定用ボルト２０の雄ねじ部は、ボルト取付け孔１３ｂを貫通して上向きに突出し、机天板２の下面に予め埋め込まれた鬼目ナット３５に螺入する。
【００３５】
また、本体７ａの外側の一対の対向する縦側面には、後述する一対のサポートピン９の截頭円錐状頭部９ａが当接し得る截頭円錐状の当接部１４が前記大径１３ａに連通するように凹み形成されている。
【００３６】
連結体５はアルミダイキャスト製であり、図３〜図５に示すように、基部５ａと、該基部５ａから上面が水平に延びるアーム部５ｂとからなる。前記基部５ａの上面には、前記固定用ブロック体７の取付け板部７ｂが嵌まる凹所１５と、これに連通し、前記本体７ａが嵌入可能な四角状の取付け凹所１６とが形成されており、さらに、前記一対のサポートピン９がそれぞれ水平方向に嵌入可能な横孔１７が、前記取付け凹所１６に連通するように穿設形成されている。
【００３７】
なお、前記取付け凹所１６は、基部５ａを上下に貫通するように形成されていても良い。
【００３８】
連結体５における各横孔１７の外周には、前記各サポートピン９の横向き円柱状の胴部９ｂの外周にて軸線方向に延びるように形成された突条９ｃが嵌まる回止め溝１８が複数箇所に形成されている。
【００３９】
前記一方のサポートピン９の円柱状の胴部９ｂの中心線に沿った貫通孔９ｃに、締着ボルト（六角穴付きボルト）８の軸部及び頭部を回動自在に支持させる。他方のサポートピン９の円柱状の胴部９ｂ及び截頭円錐状の頭部９ａの中心線に沿って、前記締着ボルト８の雄ねじ部に螺合する雌ねじ部が形成されている（図４参照）。
【００４０】
前記連結体５におけるアーム部５ｂの上面は基部５ａの上面と同一平面上にあり、またアーム部５ｂの下面は前記基部５ａに近い側の上下寸法が大きく、先端（自由端）に行くに従って上下高さ寸法が小さくなるように正面視で略三角形状に形成されている（図３参照）。
【００４１】
そして、アーム部５ｂの先端寄り部位には、机天板２の下面に固定するボルト２１の軸部が挿通できる孔が貫通している。後述する横ビーム材２３を使用しないとき、机天板２の下方の下肢領域空間をより広くするため、前述のように、アーム部５ｂの先端寄り部位の高さ寸法が小さく形成されている。
【００４２】
左右の脚体３の上部間は横ビーム材２３を介して連結され、横ビーム材２３の端部は、前記各連結体５のアーム部５ｂとその下方に配置する補助アーム体２４とで挟持固定される。横ビーム材２３はアルミ押出材であり、その断面形状は、図９に示すように、上下方向に複数の突条部分２３ａ〜２３ｂを有し、且つ複数の断面中空部２３ｃ〜２３ｄが形成されている。
【００４３】
この横ビーム材２３の端部を前記アーム部５ｂと補助アーム体２４とできっちりと挟持するために、前記アーム部５ｂの下面及び補助アーム体２４の上面には、横ビーム材２３に嵌合する溝が形成されている。
【００４４】
図９に示すように、前記アーム部５ｂと補助アーム体２４とを挟持固定するためのボルト２７の挿通用軸孔２８が、アーム部５ｂ及び補助アーム体２４の幅方向の両側に穿設されており、且つ補助アーム体２４の下部側に雌ねじ部２９が形成されている。補助アーム体２４とアーム部５ｂとは、ボルト２１で天板２の下面に固定される。天板２には鬼目ナット３６を埋設している。
【００４５】
(2).第１実施形態（図10〜図12）
次に、本願発明の具体的構成を説明する。図１０〜図１２では第１実施形態を示している。これは図１に記載した収納箱Ｂの吊支構造の例であり、図１０は要部の正断面図、図１１は取り付け工程を示す断面図、図１２は変形例である。
【００４６】
この実施形態では、ブラケット手段Ｃは、脚３における上水平フレーム３ｂの内フランジ４５ａに上方から重なる一対の吊支体６１で構成されている。吊支体６１は、内フランジ４５ａに引っ掛かる鉤部６１ａを備えて正面視略コ字状に形成されており、左右の吊支体６１は、下端６ａは互いに付き合わさった状態で収納箱Ｂの上面板にビス６２で固定されている。
【００４７】
左右の吊支体６１は上水平フレーム３ｂに対してその幅方向にずれ不能に保持されており、収納箱Ｂはしっかりと固定されている。なお、吊支体６１の長さが短い場合は、収納箱Ｂを前後複数の箇所で複数対の吊支体６１で吊支すれば良く、ある程度の長さがあれば一対のみの吊支体６１で吊支できる。
【００４８】
収納箱Ｂを上水平フレーム３ｂに吊支するに当たっては、図１１に示すように、一方の吊支体６１を予め収納箱Ｂに固定しておいて、一方の吊支体６１を上水平フレーム３ｂに引っかけてから、他方の吊支体６１をビス６２で固定したら良い。一般には、机１の内部に位置する吊支体６１を予め固定しておくのが、作業がし易いと言える。
【００４９】
図１２に示す変形例では、左右の吊支体６１の下片部に、上水平フレーム３ｂの下面に当接する上向き突部６１ｂを形成している。この変形例では、収納箱Ｂは上向き移動不能に保持されるため、取り付け強度においてより優れていると言える。
【００５０】
吊支体６１は、上水平フレーム３ｂの左右両側に広がる形態とすることも可能であるが、図示の実施形態のように上水平フレーム３ｂの下面に回り込むコ字状の形態にすると、コンパクトで見栄えが良い。
【００５１】
(3).第２実施形態（図13）
図１３では第２実施形態を示している。この実施形態では付属物の例としてパネルＰを採用している。ブラケット手段Ｃは、第１実施形態の吊支体と同様の形状の一対の押さえ体６３と、パネルＰの上端縁又は下端縁が嵌まる凸形で１本のエッジ材６４とで構成されている。ビス６２で押さえ体６３とエッジ材６４とを締結することにより、パネルＰは前後動不能に保持される。
【００５２】
この場合は、ブラケット手段Ｃは上下の水平フレーム３ｂに取り付くことになる。押さえ体６３とエッジ材６４は前後方向に長い長さであっても良いし、両者とも短い長さであっても良い。パネルＰの素材は様々であり、木製、アクリル板、金属板、合成樹脂板など様々のものを採用できる。パネルＰは軟質材製として押しピンを差し込みできるようにしたり、或いは、ホワイトボードのように筆記可能とすることなども可能である。
【００５３】
（ｂ）に示す例では、パネルＰの上端と下端とに、板ばねや合成樹脂のような弾性を有する素材からなる係止片６５を固定して、係止片６５で上下水平フレーム３ｂの内フランジ４５ａを弾性的に挟持している。この例ではパネルＰはワンタッチ的に着脱することができる。
【００５４】
(4).第３実施形態（図14〜図16）
図１４〜図１６では第３実施形態を示している。図１４は斜視図、図１５は図１４のXV-XV 視断面図、図１６は図１５のXVI-XVI 視図である。この実施形態では、付属物として棚板Ｔを採用しており、また、ブラケット手段Ｃは前後の縦フレーム３ａに取り付いている。
【００５５】
ブラケット手段Ｃは、図１２の場合と同じ形状に形成されている左右一対のクランプ体６６と、両クランプ体６６にビス６７で締結された逆Ｌ形の受け片６８とから成っている。図示のとおり、クランプ体６６は、縦フレーム３ａの内フランジ４２ａに引っ掛かる鉤部６６ａを備えている。棚板Ｔはビス６９で受け片６８に固着されている。
【００５６】
この例では、受け片６８を両クランプ体６６にビス６７で締結すると、両クランプ体６６が縦フレーム３ａに突っ張り固定されるように設定している。受け片６７の固定用ビスとは別に、クランプ体６６を縦フレーム３ａに突っ張り固定するためのビスを別途設けても良い。
【００５７】
また、受け片６８を使用せずに、棚板Ｔに前後の下向き片を折り曲げ形成して、この下向き片をクランプ体６６に直接に締結することも可能である。縦フレーム３ａの内周面に蟻溝を形成している場合は、蟻溝に嵌め入れたナットにビスをねじ込むことにより、棚板Ｔを高さ調節自在に配置することか可能になる。内フレーム４２ａ，４５ａは係止条の一例であるが、他の係止条の例として、フレームの内周に蟻溝を形成しても良い。
【００５８】
（5). 第４実施形態（図17）
図１７では第４実施形態を示している。この実施形態では、棚Ｔに下向きの足片Ｔ１を一体に折り曲げ形成して、この足片Ｔ１に、縦フレーム３ａの内向きフランジ４２ａに重なるクランプ体７０をビス７１で固定している。すなわち、クランプ体７０と足片Ｔ１とで内フランジ４２ａを挟み固定している。もちろん、棚Ｔは自在に高さ調節することができる。
【００５９】
（6). 第５実施形態（図18〜図19）
図１８及び図１９では第５実施形態を示している。図１８は縦断正面図、図１９は図１８の平断面図である。
【００６０】
この実施形態では、脚３における各フレーム３ａの内周面に縦溝７２が形成されている。そして、ブラケット手段Ｃは、縦フレーム３ａの縦溝７２に予後ずれ不能で上下動不能に嵌まる断面コ字状の縦長部材７３と、縦長部材７３の間に装架した複数本のバー７４とで構成されている。
【００６１】
各バー７４の両端には小径の首部が形成されている一方、縦長部材７３には、首部が嵌合するいわゆるダルマ形の係合穴７５が形成されている。従って、両縦長部材７３を縦フレーム３ａに装着してから各バー７４を取り付けることができる。
【００６２】
そして、図１８に一点鎖線で示すように、各バー７５を利用して棚Ｔを支持することができる。すなわち、棚Ｔには、バー７５に引っ掛かる鉤部Ｔ２が形成されている。この例では棚Ｔが付属品に該当する。バー７５に直接に物品を引っ掛けることも可能である。
【００６３】
(7).その他
本願発明は上記の実施形態の他にも様々に具体化することができ。例えば脚を構成するフレームの断面形状には特に限定はなく、例えば断面円形や断面四角形、或いは断面三角形等でもよい。ブラケット手段の形態も脚の形態に応じて自由に設計変更することができる。
【００６４】
脚の側面形状は門形（鳥居形を含む）でも良い。また、本願発明は天板と脚との間に空間が空いていないタイプの机にも適用できることは言うまでもない。サーバのように外箱を有する物品の場合、ケースをブラケット手段にて脚に直接に取り付けることも可能である。また、ブラケット手段を机上面よりも上方に立ち上がる形態として、これに棚類を取付けることも可能である。
【００６５】
付属物としてパネルを取付ける場合、パネルは机上面よりも上方に立ち上がるサイドパネルの態様とすることも可能である。また、１つの脚に複数の付属物を取付けることも可能である。
【図面の簡単な説明】
【００６６】
【図１】机の部分的な斜視図である。
【図２】（ａ）は机の平面図、（ｂ）は正面図、（ｃ）は側面図である。
【図３】図１の III-III視一部切欠き正面図である。
【図４】図１のIV−IV視一部切欠き断面図である。
【図５】連結手段の各部品の斜視図である。
【図６】脚体のコーナ部の一部切欠き拡大断面図である。
【図７】脚を構成するフレームの断面図である。
【図８】脚用継手部材の斜視図である。
【図９】図４のXVII−XVII視拡大断面図である。
【図１０】第１実施形態の要部の正断面図である。
【図１１】取り付け工程を示す断面図である。
【図１２】変形例を示す図である。
【図１３】第２実施形態を示す図である。
【図１４】第３実施形態の斜視図である。
【図１５】図１４のXV-XV 視断面図である。
【図１６】図１５のXVI-XVI 視図である。
【図１７】第４実施形態の平面図である。
【図１８】第５実施形態の正断面図である。
【図１９】図１８の平断面図である。
【符号の説明】
【００６７】
１  机  
２  天板
３  脚
３ａ  縦フレーム
３ｂ  水平フレーム
Ｂ  付属物の一例としての収納箱
Ｃ  ブラケット手段
６６  ブラケット手段を構成する吊支体
Ｔ  付属物の一例としての棚板
【図１】
2005087625.tif 000003
【図２】
2005087625.tif 000004
【図３】
2005087625.tif 000005
【図４】
2005087625.tif 000006
【図５】
2005087625.tif 000007
【図６】
2005087625.tif 000008
【図７】
2005087625.tif 000009
【図８】
2005087625.tif 000010
【図９】
2005087625.tif 000011
【図１０】
2005087625.tif 000012
【図１１】
2005087625.tif 000013
【図１２】
2005087625.tif 000014
【図１３】
2005087625.tif 000015
【図１４】
2005087625.tif 000016
【図１５】
2005087625.tif 000017
【図１６】
2005087625.tif 000018
【図１７】
2005087625.tif 000019
【図１８】
2005087625.tif 000020
【図１９】
2005087625.tif 000021